(57)【要約】【課題】入力画像信号の変化に応じて、駆動部から画素への印加電圧の振幅を好適に制御する。【解決手段】液晶表示装置は、入力画像信号に基づく画像をフレームごとに表示する液晶表示部と、液晶表示部の複数の画素に入力画像信号に基づく電圧を印加する駆動部と、駆動部により複数の画素に印加される電圧の振幅を制御する制御部と、を備える。駆動部は、一のフレームにおいて、一のソース信号線に接続された複数の画素に同一の極性の電圧を印加する。制御部は、駆動部の温度情報を取得する温度情報取得部と、入力画像信号のソース信号線の略延在方向における高周波数成分と低周波数成分とを取得するフィルタ部と、を含む。制御部は、駆動部の温度情報とフィルタ部により取得された高周波数成分の出力値とを用いて、駆動部が複数の画素に印加する電圧の振幅を制御する。【選択図】図１
2013137418.tif 000002
【特許請求の範囲】
【請求項１】
複数のソース信号線と、複数のゲート信号線と、前記ソース信号線及び前記ゲート信号線に接続された複数の画素とを有し、入力画像信号に基づく画像をフレームごとに表示する液晶表示部と、
前記液晶表示部の前記複数の画素に前記入力画像信号に基づく電圧を印加する駆動部と、
前記駆動部により前記複数の画素に印加される前記電圧の振幅を制御する制御部と、
を備え、
前記駆動部は、一の前記フレームにおいて、一の前記ソース信号線に接続された複数の前記画素に同一の極性の電圧を印加し、
前記制御部は、
前記駆動部の温度に対応する温度情報を取得する温度情報取得部と、
前記入力画像信号の前記ソース信号線の略延在方向における高周波数成分と低周波数成分とを取得するフィルタ部と、
を含み、
前記制御部は、前記温度情報取得部により取得された前記駆動部の前記温度情報と前記フィルタ部により取得された前記高周波数成分の出力値とを用いて、前記駆動部により前記複数の画素に印加される前記電圧の振幅を制御することを特徴とする液晶表示装置。
【請求項２】
前記制御部は、
前記温度情報取得部により取得された前記駆動部の前記温度情報に基づきゲインを設定するゲイン設定部
をさらに含み、
前記制御部は、前記駆動部の温度が所定の基準温度以上であることを、前記温度情報取得部により取得された前記駆動部の前記温度情報が示す場合に、前記フィルタ部により取得された前記高周波数成分の出力値を前記ゲイン設定部により設定された前記ゲインだけ低下させた値を用いて、前記駆動部により前記複数の画素に印加される前記電圧の振幅を制御することを特徴とする請求項１記載の液晶表示装置。
【請求項３】
前記制御部は、
前記フィルタ部により取得された前記高周波数成分の出力値と前記ゲイン設定部により設定された前記ゲインとを乗算した乗算結果を出力する乗算部と、
前記乗算部の出力値と前記フィルタ部により取得された前記低周波数成分の出力値とを加算した加算結果を出力する加算部と、
をさらに含み、
前記制御部は、前記加算部の出力値に基づき前記駆動部により前記複数の画素に印加される前記電圧の振幅を制御することを特徴とする請求項２記載の液晶表示装置。
【請求項４】
前記ゲイン設定部は、前記駆動部の温度が前記基準温度未満であることを、前記温度情報取得部により取得された前記駆動部の前記温度情報が示す場合に、前記ゲインを基準ゲインに設定し、
前記基準ゲインは、前記加算部の出力値が前記入力画像信号に等しくなるように構成されていることを特徴とする請求項３記載の液晶表示装置。
【請求項５】
前記入力画像信号の前記信号レベルは、所定の最小値から所定の最大値までの範囲の値であり、
前記ゲイン設定部は、前記駆動部の温度が基準温度以上であることを、前記温度情報取得部により取得された前記駆動部の前記温度情報が示す場合に、前記入力画像信号の信号レベルが、前記最小値近傍のときまたは前記最大値近傍のときは、前記最小値および前記最大値の中間値のときに比べて、前記ゲインを小さい値に設定することを特徴とする請求項３または４記載の液晶表示装置。
【請求項６】
前記液晶表示部は、複数の前記ソース信号線をそれぞれ含むように分割された複数の領域を含み、
前記駆動部は、それぞれ前記画素に前記入力画像信号に基づく前記電圧を印加する複数の駆動回路を含み、
一の前記駆動回路は、対応する一の前記領域に含まれる複数の前記画素に前記電圧を印加し、
前記温度情報取得部は、前記駆動回路ごとに前記温度情報を取得し、
前記制御部は、前記温度情報取得部により取得された前記駆動回路ごとの前記温度情報を用いて、前記駆動回路が対応する前記領域に含まれる複数の前記画素に印加する前記電圧の振幅を前記駆動回路ごとに制御することを特徴とする請求項１ないし５のいずれか１項に記載の液晶表示装置。
【請求項７】
前記液晶表示部は、前記領域として、第１の領域と、前記第１の領域に隣接する第２の領域と、を含み、
前記駆動部は、前記駆動回路として、前記第１の領域に含まれる複数の前記画素に前記電圧を印加する第１の駆動回路と、前記第２の領域に含まれる複数の前記画素に前記電圧を印加する第２の駆動回路と、を含み、
前記第１の駆動回路の温度が基準温度以上であり、かつ、前記第２の駆動回路の温度が前記基準温度未満であることを、前記温度情報取得部により取得された前記温度情報が示す場合に、前記制御部は、前記第１の駆動回路により前記第１の領域に含まれる前記画素に印加される前記電圧の振幅が低下するように、かつ、前記第１の領域に含まれる前記画素の内、前記第１の領域と前記第２の領域との境界付近の前記画素に印加される前記電圧の振幅の低下幅が、前記第１の領域に含まれる前記画素の内、前記第１の領域と前記第２の領域との境界付近から離れた場所の前記画素に印加される前記電圧の振幅の低下幅に比べて小さくなるように、前記第１の駆動回路を制御することを特徴とする請求項６記載の液晶表示装置。
【発明の詳細な説明】
【技術分野】
【０００１】
本発明は、液晶表示部に映像を表示する液晶表示装置に関するものである。
【背景技術】
【０００２】
コンピュータやその他の情報機器の高精細度カラーモニター、あるいはテレビジョン受像機の表示装置として、液晶表示装置が使用される。液晶表示装置は、基本的には、少なくとも一方が透明なガラス等からなる二枚の基板の間に、液晶を挟持した液晶表示部を有する。そして、液晶表示装置は、この液晶表示部の基板に形成した画素形成用の各種電極に選択的に電圧を印加する駆動部を備え、この駆動部による電圧印加によって、所定画素の点灯及び消灯を行う。この液晶表示装置は、コントラスト性能、高速表示性能に優れている。
【０００３】
液晶表示部は、一般に、複数のゲート信号線、複数のソース信号線及び複数の画素を備える。複数のゲート信号線は、それぞれ例えば横方向（主走査方向）に延びており、縦方向（副走査方向）に並んで設けられている。複数のソース信号線は、それぞれ例えば縦方向（副走査方向）に延びており、横方向（主走査方向）に並んで設けられている。複数のゲート信号線及び複数のソース信号線の交点に、マトリクス状に複数の薄膜トランジスタ（ＴＦＴ）及び画素が配置されている。
【０００４】
駆動部は、ゲート信号線にＴＦＴをオンオフするための電圧を印加する。また、駆動部は、画像信号に基づく電圧をソース信号線に印加して、液晶の透過率を印加電圧に応じた値に変更する。このとき、駆動部は、画像信号を１水平期間分保持し、液晶表示部のソース信号線に出力する。液晶表示部のソース信号線は、図１８に示されるように、配線抵抗と、ＴＦＴのゲート容量、配線層間の容量及び配線層と他の液晶層間の容量とを持つ等価回路で表される。したがって、１水平期間ごとに入力画像信号が変化した場合には、容量に対する充放電が繰り返される。このため、駆動部から供給される電流量が増大し、これによって、駆動部の温度が上昇する。駆動部の温度が駆動部の動作を保証する保証温度を超えると、駆動部の特性の劣化に繋がる。そこで、例えば特許文献１に記載の技術では、駆動部を構成するチップの温度が所定の温度以上になったか否かを検知し、検知結果に基づいて、ガンマ補正電圧の最大出力電圧を低下させることにより、駆動部から画素への印加電圧の振幅を低下させている。
【先行技術文献】
【特許文献】
【０００５】
【特許文献１】特開２０１１−１６４２８８号公報
【発明の概要】
【発明が解決しようとする課題】
【０００６】
図１８から分かるように、１水平期間ごとに入力画像信号が変化しない場合には、容量に対する充放電が行われないため、駆動部の温度が上昇することはない。つまり、ガンマ補正電圧の最大出力電圧の印加が継続される場合には、振幅を低下させる必要はないということになる。しかしながら、上記特許文献１に記載の技術では、入力画像信号の変化に関係なく、ガンマ補正電圧の最大出力電圧を低下させているため、振幅を低下させる必要がない場合でも、駆動部から画素への印加電圧の振幅を低下させることになる。したがって、上記特許文献１に記載の技術では、入力画像信号の変化に応じて、駆動部から画素への印加電圧の振幅を好適に制御することが困難となっている。
【０００７】
本発明は、上述した課題を解決するためになされたもので、入力画像信号の変化に応じて、駆動部から画素への印加電圧の振幅を好適に制御することができる液晶表示装置を提供することを目的とする。
【課題を解決するための手段】
【０００８】
本発明の一局面に係る液晶表示装置は、複数のソース信号線と、複数のゲート信号線と、前記ソース信号線及び前記ゲート信号線に接続された複数の画素とを有し、入力画像信号に基づく画像をフレームごとに表示する液晶表示部と、前記液晶表示部の前記複数の画素に前記入力画像信号に基づく電圧を印加する駆動部と、前記駆動部により前記複数の画素に印加される前記電圧の振幅を制御する制御部と、を備え、前記駆動部は、一の前記フレームにおいて、一の前記ソース信号線に接続された複数の前記画素に同一の極性の電圧を印加し、前記制御部は、前記駆動部の温度に対応する温度情報を取得する温度情報取得部と、前記入力画像信号の前記ソース信号線の略延在方向における高周波数成分と低周波数成分とを取得するフィルタ部と、を含み、前記制御部は、前記温度情報取得部により取得された前記駆動部の前記温度情報と前記フィルタ部により取得された前記高周波数成分の出力値とを用いて、前記駆動部により前記複数の画素に印加される前記電圧の振幅を制御する。
【０００９】
この構成によれば、液晶表示部は、複数のソース信号線と、複数のゲート信号線と、ソース信号線及びゲート信号線に接続された複数の画素とを有し、入力画像信号に基づく画像をフレームごとに表示する。駆動部は、液晶表示部の複数の画素に入力画像信号に基づく電圧を印加する。制御部は、駆動部により複数の画素に印加される電圧の振幅を制御する。駆動部は、一のフレームにおいて、一のソース信号線に接続された複数の画素に同一の極性の電圧を印加する。温度情報取得部は、駆動部の温度に対応する温度情報を取得する。フィルタ部は、入力画像信号のソース信号線の略延在方向における高周波数成分と低周波数成分とを取得する。制御部は、温度情報取得部により取得された駆動部の温度情報とフィルタ部により取得された高周波数成分の出力値とを用いて、駆動部により複数の画素に印加される電圧の振幅を制御する。したがって、入力画像信号の高周波数成分の出力値を用いているため、入力画像信号の変化に応じて、画素への印加電圧の振幅を好適に制御することができる。また、入力画像信号のソース信号線の略延在方向における高周波数成分と低周波数成分とを取得するフィルタ部を用いているため、駆動部の構成を変更する必要がないという利点がある。
【００１０】
また、上記の液晶表示装置において、前記制御部は、前記温度情報取得部により取得された前記駆動部の前記温度情報に基づきゲインを設定するゲイン設定部をさらに含み、前記制御部は、前記駆動部の温度が所定の基準温度以上であることを、前記温度情報取得部により取得された前記駆動部の前記温度情報が示す場合に、前記フィルタ部により取得された前記高周波数成分の出力値を前記ゲイン設定部により設定された前記ゲインだけ低下させた値を用いて、前記駆動部により前記複数の画素に印加される前記電圧の振幅を制御することが好ましい。
【００１１】
この構成によれば、ゲイン設定部は、温度情報取得部により取得された駆動部の温度情報に基づき、ゲインを設定する。制御部は、駆動部の温度が所定の基準温度以上であることを、温度情報取得部により取得された駆動部の温度情報が示す場合に、フィルタ部により取得された高周波数成分の出力値をゲイン設定部により設定されたゲインだけ低下させた値を用いて、駆動部により複数の画素に印加される電圧の振幅を制御する。したがって、入力画像信号の高周波数成分の出力値を設定されたゲインだけ低下させた値を用いているため、入力画像信号の変化が大きいときに、駆動部により画素に印加される電圧の振幅を好適に低下させることができる。その結果、駆動部の温度を好適に低下させることができる。
【００１２】
また、上記の液晶表示装置において、前記制御部は、前記フィルタ部により取得された前記高周波数成分の出力値と前記ゲイン設定部により設定された前記ゲインとを乗算した乗算結果を出力する乗算部と、前記乗算部の出力値と前記フィルタ部により取得された前記低周波数成分の出力値とを加算した加算結果を出力する加算部と、をさらに含み、前記制御部は、前記加算部の出力値に基づき前記駆動部により前記複数の画素に印加される前記電圧の振幅を制御することが好ましい。
【００１３】
この構成によれば、乗算部は、フィルタ部により取得された高周波数成分の出力値とゲイン設定部により設定されたゲインとを乗算した乗算結果を出力する。加算部は、乗算部の出力値とフィルタ部により取得された低周波数成分の出力値とを加算した加算結果を出力する。制御部は、加算部の出力値に基づき駆動部により複数の画素に印加される電圧の振幅を制御する。このように、乗算部の出力値とフィルタ部により取得された低周波数成分の出力値とを加算した加算結果に基づき駆動部により複数の画素に印加される電圧の振幅が制御されているため、簡易な構成で、画素に印加される電圧の振幅を制御することができる。
【００１４】
また、上記の液晶表示装置において、前記ゲイン設定部は、前記駆動部の温度が前記基準温度未満であることを、前記温度情報取得部により取得された前記駆動部の前記温度情報が示す場合に、前記ゲインを基準ゲインに設定し、前記基準ゲインは、前記加算部の出力値が前記入力画像信号に等しくなるように構成されていることが好ましい。
【００１５】
この構成によれば、ゲイン設定部は、駆動部の温度が基準温度未満であることを、温度情報取得部により取得された駆動部の温度情報が示す場合に、ゲインを基準ゲインに設定する。基準ゲインは、加算部の出力値が入力画像信号に等しくなるように構成されている。したがって、駆動部の温度が基準温度未満である場合には、簡易な構成で、電圧の振幅が低下しないようにすることができる。
【００１６】
また、上記の液晶表示装置において、前記入力画像信号の前記信号レベルは、所定の最小値から所定の最大値までの範囲の値であり、前記ゲイン設定部は、前記駆動部の温度が基準温度以上であることを、前記温度情報取得部により取得された前記駆動部の前記温度情報が示す場合に、前記入力画像信号の信号レベルが、前記最小値近傍のときまたは前記最大値近傍のときは、前記最小値および前記最大値の中間値のときに比べて、前記ゲインを小さい値に設定することが好ましい。
【００１７】
この構成によれば、入力画像信号の前記信号レベルは、所定の最小値から所定の最大値までの範囲の値である。ゲイン設定部は、駆動部の温度が基準温度以上であることを、温度情報取得部により取得された駆動部の温度情報が示す場合に、入力画像信号の信号レベルが、最小値近傍のときまたは最大値近傍のときは、最小値および最大値の中間値のときに比べて、ゲインを小さい値に設定する。
【００１８】
ここで、液晶に対する印加電圧特性として、入力画像信号の信号レベルが最小値の近傍の領域及び最大値の近傍の領域では、入力画像信号の信号レベルが増大するにつれて、液晶に対する印加電圧は急峻に上昇し、入力画像信号の信号レベルが最小値及び最大値の中間値の領域では、入力画像信号の信号レベルが増大するにつれて、液晶に対する印加電圧は緩やかに上昇するという特性を有する。したがって、入力画像信号の信号レベルが中間値の領域では、入力画像信号の信号レベルの変動幅に比べて、液晶に対する印加電圧の変動幅は小さい。逆に言うと、入力画像信号の信号レベルが中間値の領域において、印加電圧の振幅を低下させると、入力画像信号の信号レベルが大きく変動する領域に対応するため、観察者に視認されやすくなる。これに対して、入力画像信号の信号レベルが最小値の近傍の領域及び最大値の近傍の領域において、印加電圧の振幅を低下させても、入力画像信号の信号レベルの変動幅が小さい領域に対応するため、観察者に視認されにくい。
【００１９】
したがって、上記構成によれば、入力画像信号の信号レベルが、最小値近傍のときまたは最大値近傍のときは、最小値および最大値の中間値のときに比べて、ゲインを小さい値に設定している。このため、入力画像信号の信号レベルが、観察者に視認されにくい最小値近傍のときまたは最大値近傍のときに、駆動部により画素に印加される電圧の振幅を低下させることができる。その結果、駆動部の温度を好適に低下させることができる。
【００２０】
また、上記の液晶表示装置において、前記液晶表示部は、複数の前記ソース信号線をそれぞれ含むように分割された複数の領域を含み、前記駆動部は、それぞれ前記画素に前記入力画像信号に基づく前記電圧を印加する複数の駆動回路を含み、一の前記駆動回路は、対応する一の前記領域に含まれる複数の前記画素に前記電圧を印加し、前記温度情報取得部は、前記駆動回路ごとに前記温度情報を取得し、前記制御部は、前記温度情報取得部により取得された前記駆動回路ごとの前記温度情報を用いて、前記駆動回路が対応する前記領域に含まれる複数の前記画素に印加する前記電圧の振幅を前記駆動回路ごとに制御することが好ましい。
【００２１】
この構成によれば、液晶表示部は、複数のソース信号線をそれぞれ含むように分割された複数の領域を含む。駆動部は、それぞれ画素に入力画像信号に基づく電圧を印加する複数の駆動回路を含む。一の駆動回路は、対応する一の領域に含まれる複数の画素に電圧を印加する。温度情報取得部は、駆動回路ごとに温度情報を取得する。制御部は、温度情報取得部により取得された駆動回路ごとの温度情報を用いて、駆動回路が対応する領域に含まれる複数の画素に印加する電圧の振幅を駆動回路ごとに制御する。したがって、駆動回路ごとにきめ細かく、画素への印加電圧の振幅を制御することができる。
【００２２】
また、上記の液晶表示装置において、前記液晶表示部は、前記領域として、第１の領域と、前記第１の領域に隣接する第２の領域と、を含み、前記駆動部は、前記駆動回路として、前記第１の領域に含まれる複数の前記画素に前記電圧を印加する第１の駆動回路と、前記第２の領域に含まれる複数の前記画素に前記電圧を印加する第２の駆動回路と、を含み、前記第１の駆動回路の温度が基準温度以上であり、かつ、前記第２の駆動回路の温度が前記基準温度未満であることを、前記温度情報取得部により取得された前記温度情報が示す場合に、前記制御部は、前記第１の駆動回路により前記第１の領域に含まれる前記画素に印加される前記電圧の振幅が低下するように、かつ、前記第１の領域に含まれる前記画素の内、前記第１の領域と前記第２の領域との境界付近の前記画素に印加される前記電圧の振幅の低下幅が、前記第１の領域に含まれる前記画素の内、前記第１の領域と前記第２の領域との境界付近から離れた場所の前記画素に印加される前記電圧の振幅の低下幅に比べて小さくなるように、前記第１の駆動回路を制御することが好ましい。
【００２３】
この構成によれば、液晶表示部は、領域として、第１の領域と、第１の領域に隣接する第２の領域と、を含む。駆動部は、駆動回路として、第１の領域に含まれる複数の画素に電圧を印加する第１の駆動回路と、第２の領域に含まれる複数の画素に電圧を印加する第２の駆動回路と、を含む。第１の駆動回路の温度が基準温度以上であり、かつ、第２の駆動回路の温度が基準温度未満であることを、温度情報取得部により取得された温度情報が示す場合に、制御部は、第１の駆動回路により第１の領域に含まれる画素に印加される電圧の振幅が低下するように、かつ、第１の領域に含まれる画素の内、第１の領域と第２の領域との境界付近の画素に印加される電圧の振幅の低下幅が、第１の領域に含まれる画素の内、第１の領域と第２の領域との境界付近から離れた場所の画素に印加される電圧の振幅の低下幅に比べて小さくなるように、第１の駆動回路を制御する。したがって、第１の領域と第２の領域との境界付近において、第１の駆動回路により画素に印加される電圧の振幅が低下することによる画像の変化が目立たないようにすることができる。
【発明の効果】
【００２４】
本発明によれば、入力画像信号のソース信号線の略延在方向における高周波数成分と低周波数成分とを取得するフィルタ部を用いているため、入力画像信号の変化に応じて、画素への印加電圧の振幅を好適に制御することができる。
【図面の簡単な説明】
【００２５】
【図１】本発明の第１実施形態の液晶表示装置の構成を示すブロック図である。
【図２】図１に示される液晶表示パネルの信号線の接続状態を示す回路図である。
【図３】図１に示される液晶表示パネルにおいて、あるフレームにおける各画素の印加電圧の極性を示す図である。
【図４】液晶表示パネルの全面に白画像が表示される場合のソース信号線の印加電圧を示す図である。
【図５】垂直ＬＰＦ及び垂直ＨＰＦの周波数特性の一例を示す図である。
【図６】ゲイン設定部が保持するゲイン曲線の一例を示す図である。
【図７】液晶表示パネルに白画像と黒画像とが水平方向の１ラインごとに交互に表示されている状態を示す図である。
【図８】図７に示される状態において、ゲイン設定部によりゲインが基準ゲインに設定されている場合のソース信号線に印加される電圧波形を示す図である。
【図９】ゲイン設定部によりゲインが基準ゲイン未満に設定されている場合のソース信号線に印加される電圧波形を示す図である。
【図１０】本発明の第２実施形態の液晶表示装置の構成を示すブロック図である。
【図１１】階調ゲイン設定部が保持するゲイン曲線の一例を示す図である。
【図１２】液晶の印加電圧特性を示す図である。
【図１３】本発明の第３実施形態の液晶表示装置の構成を示すブロック図である。
【図１４】第３実施形態の液晶表示装置のソース駆動部及び液晶表示パネルと、ゲイン設定部及び水平ＬＰＦの出力信号とを示す図である。
【図１５】第３実施形態のゲイン設定部が保持するゲイン曲線を示す図である。
【図１６】第３実施形態の液晶表示装置において、液晶表示パネルの左右にバックライトを備えたエッジライト方式の液晶表示装置を示す図である。
【図１７】ソース信号線に対する薄膜トランジスタ及び画素の異なる接続形態を示す図である。
【図１８】ソース信号線の等価回路を示す図である。
【発明を実施するための形態】
【００２６】
（第１実施形態）
図１は、本発明の第１実施形態の液晶表示装置の構成を示すブロック図である。図２は、図１に示される液晶表示パネルの信号線の接続状態を示す回路図である。図１に示されるように、液晶表示装置１は、表示制御回路１１と、液晶表示パネル１２と、ゲート駆動部１３と、ソース駆動部１４とを備える。
【００２７】
液晶表示パネル１２は、図２に示されるように、複数のソース信号線Ｓ１，Ｓ２，・・・，Ｓｍ、複数のゲート信号線Ｇ１，Ｇ２，・・・，Ｇｎ、複数の薄膜トランジスタＱ及び複数の画素Ｒ，Ｇ，Ｂ（つまり赤色画素Ｒ、緑色画素Ｇ及び青色画素Ｂ、以下単に「画素Ｒ，Ｇ，Ｂ」と称する）を備える。複数のソース信号線Ｓ１，Ｓ２，・・・，Ｓｍは、それぞれ縦方向（副走査方向）に延びており、横方向（主走査方向）に並んで設けられている。複数のゲート信号線Ｇ１，Ｇ２，・・・，Ｇｎは、それぞれ横方向（主走査方向）に延びており、縦方向（副走査方向）に並んで設けられている。複数のソース信号線Ｓ１，Ｓ２，・・・，Ｓｍ及び複数のゲート信号線Ｇ１，Ｇ２，・・・，Ｇｎの交点に、マトリクス状に複数の薄膜トランジスタＱ及び複数の画素Ｒ，Ｇ，Ｂが配置されている。
【００２８】
表示制御回路１１は、入力画像信号及び垂直同期信号に基づき、ゲート駆動部１３及びソース駆動部１４を制御して、液晶表示パネル１２のマトリクス状に配置された画素に対して１フレームごとに画像データを１回書き込む。ゲート駆動部１３は、走査電圧を印加してゲート信号線Ｇ１，Ｇ２，・・・，Ｇｎを上から下に向かって順番に選択して、対応するゲート信号線Ｇ１，Ｇ２，・・・，Ｇｎの薄膜トランジスタＱをオンにする。ソース駆動部１４は、ゲート駆動部１３により選択されている（つまり薄膜トランジスタＱがオンにされている）ゲート信号線Ｇ１，Ｇ２，・・・，Ｇｎに対応する画素Ｒ，Ｇ，Ｂに、ソース信号線Ｓ１，Ｓ２，・・・，Ｓｍを介して画像データに対応する電圧を印加する。これによって、画素Ｒ，Ｇ，Ｂの液晶層に画像データに対応する電圧が印加されて、画素Ｒ，Ｇ，Ｂの透過率が制御される。
【００２９】
ゲート駆動部１３によるゲート信号線Ｇ１，Ｇ２，・・・，Ｇｎの選択が上から下まで完了することによって、入力画像信号及び垂直同期信号に基づき画像データが１回全画素に対して書き込まれる。全画素に対する画像データの書込みによって、１フレームの画像が生成される。液晶表示パネル１２は、その書き込まれた画像データを次の画像データの書込みまで１フレーム期間、保持するホールド型の表示部である。
【００３０】
表示制御回路１１により、１フレームの画像生成が所定のフレーム周波数で繰り返されることによって、液晶表示パネル１２に表示される画像が視聴者によって視認される。なお、液晶表示パネル１２としては、ＩＰＳ（Ｉｎ  Ｐｌａｎｅ  Ｓｗｉｔｃｈｉｎｇ）方式、ＶＡ（Ｖｅｒｔｉｃａｌ  Ａｌｉｇｎｍｅｎｔ）方式、その他のいずれの方式を適用してもよい。
【００３１】
図３は、図１に示される液晶表示パネルにおいて、あるフレームにおける各画素の印加電圧の極性を示す図である。図４は、液晶表示パネルの全面に白画像が表示される場合のソース信号線の印加電圧を示す図である。
【００３２】
一般に、液晶表示パネルにおいて、画素を駆動するために直流の駆動電圧を画素に印加すると、液晶が劣化して寿命が短くなり、その結果、表示品位が低下することが知られている。そこで、液晶表示パネル１２では、画素に印加する電圧の極性をフレームごとに反転させる交流電圧駆動が行われている。さらに、本実施形態の液晶表示パネル１２では、図３に示されるように、各フレームにおいて、同一のソース信号線に印加する電圧の極性は同一にされ、隣接するソース信号線に印加する電圧の極性は交互に異なる極性にされている。
【００３３】
したがって、あるフレームにおいて、例えば図３に示されるように、ソース信号線Ｓ１への印加電圧の極性が「＋」にされている場合には、ソース信号線Ｓ２への印加電圧の極性は「−」にされ、ソース信号線Ｓ３への印加電圧の極性は「＋」にされる。また、図３に示されるフレームの次のフレームでは、ソース信号線Ｓ１への印加電圧の極性が「−」にされ、ソース信号線Ｓ２への印加電圧の極性は「＋」にされ、ソース信号線Ｓ３への印加電圧の極性は「−」にされる。このように、本実施形態の液晶表示パネル１２では、カラム反転駆動が行われている。
【００３４】
また、例えば図３に示されるフレームにおいて、ソース信号線Ｓ１の印加電圧は同一の「＋」極性にされる。したがって、液晶表示パネル１２の全面に白画像が表示される場合には、図４に示されるように、選択されるゲート信号線Ｇ１，Ｇ２，・・・が変化しても、同一極性で同一レベルの電圧が印加されることになる。このため、薄膜トランジスタＱにおいて充放電が起こらないことから、ソース駆動部１４から薄膜トランジスタＱへの電流供給が抑制される。その結果、ソース駆動部１４における電力消費量が低減されるため、ソース駆動部１４の温度上昇を抑制することができる。
【００３５】
図１に戻って、表示制御回路１１は、温度情報取得部２１、垂直ローパスフィルタ（ＬＰＦ）２２、垂直ハイパスフィルタ（ＨＰＦ）２３、ゲイン設定部２４、乗算器２５及び加算器２６を備える。温度情報取得部２１は、ソース駆動部１４の温度に対応する温度情報を取得する。温度情報取得部２１は、この実施形態では、入力画像信号の振幅及び周波数に基づき、ソース駆動部１４の温度を推定し、推定温度をソース駆動部１４の温度情報として取得する。温度情報取得部２１は、取得した温度情報をゲイン設定部２４に出力する。なお、代替的に、温度情報取得部２１は、ソース駆動部１４の温度を検出する温度センサを備え、温度センサによる検出温度をソース駆動部１４の温度情報として取得するようにしてもよい。
【００３６】
垂直ＬＰＦ２２は、入力画像信号の垂直方向（つまり図２においてソース信号線Ｓ１，Ｓ２，・・・，Ｓｍが延びる方向）の低周波数成分を抽出して出力する。垂直ＨＰＦ２３は、入力画像信号の垂直方向（つまり図２においてソース信号線Ｓ１，Ｓ２，・・・，Ｓｍが延びる方向）の高周波数成分を抽出して出力する。ゲイン設定部２４は、温度情報取得部２１から出力されるソース駆動部１４の温度情報に基づきゲインを設定し、設定したゲインを乗算器２５に出力する。垂直ＬＰＦ２２、垂直ＨＰＦ２３及びゲイン設定部２４の機能は、さらに後述される。
【００３７】
乗算器２５は、垂直ＨＰＦ２３から出力される入力画像信号の垂直方向における高周波数成分の出力値と、ゲイン設定部２４から出力されるゲインとを乗算し、乗算結果を加算器２６に出力する。加算器２６は、垂直ＬＰＦ２２から出力される入力画像信号の垂直方向における低周波数成分の出力値と、乗算器２５から出力される乗算結果とを加算して、出力画像信号としてソース駆動部１４に出力する。
【００３８】
図５は、垂直ＬＰＦ２２及び垂直ＨＰＦ２３の周波数特性の一例を示す図である。図６は、ゲイン設定部２４が保持するゲイン曲線の一例を示す図である。
【００３９】
図５に示される垂直ＬＰＦ２２の周波数特性Ｆｌ及び垂直ＨＰＦ２３の周波数特性Ｆｈは、ゲイン設定部２４においてゲインが基準ゲインＧｒ（例えばＧｒ＝１）に設定されたときに、入力画像信号と出力画像信号とが等しくなるように、決められている。垂直ＬＰＦ２２として、この実施形態では、例えば「１：２：１」のディジタルフィルタが用いられる。垂直ＨＰＦ２３として、この実施形態では、例えば「−１：２：−１」のディジタルフィルタが用いられる。
【００４０】
ゲイン設定部２４は、図６に示されるゲイン曲線Ｇｃ０を保持する。ゲイン曲線Ｇｃ０は、ソース駆動部１４の温度に対応して予め設定されている。ソース駆動部１４の温度が予め設定された基準温度Ｔｒ（例えばＴｒ＝７０℃）未満であることを、温度情報取得部２１から出力されるソース駆動部１４の温度情報が示す場合に、ゲイン設定部２４は、ゲインＧａを基準ゲインＧｒ（例えばＧｒ＝１）に設定する。ゲイン設定部２４は、ソース駆動部１４の温度が予め設定された基準温度Ｔｒ（例えばＴｒ＝７０℃）以上であることを、温度情報取得部２１から出力されるソース駆動部１４の温度情報が示す場合に、図６に示されるように、ゲインＧａを基準ゲインＧｒから低下させる。なお、図６では、基準温度Ｔｒ以上の範囲でゲインＧａを直線状に低下させているが、これに限られない。例えば、基準温度Ｔｒ以上の範囲でゲインＧａを階段状に低下させるようにしてもよい。本実施形態において、液晶表示パネル１２は、液晶表示部の一例に対応し、ソース駆動部１４は、駆動部の一例に対応し、表示制御回路１１は、制御部の一例に対応し、垂直ＬＰＦ２２及び垂直ＨＰＦ２３は、フィルタ部の一例に対応する。また、本実施形態において、乗算器２５は、乗算部の一例に対応し、加算器２６は、加算部の一例に対応する。
【００４１】
図７は、液晶表示パネル１２に白画像と黒画像とが水平方向の１ラインごとに交互に表示されている状態を示す図である。図８は、図７に示される状態において、ゲイン設定部２４によりゲインＧａが基準ゲインＧｒに設定されている場合のソース信号線に印加される電圧波形を示す図である。図９は、ゲイン設定部２４によりゲインＧａが基準ゲインＧｒ未満（例えばＧａ＝０．５）に設定されている場合のソース信号線に印加される電圧波形を示す図である。図７〜図９を用いて、第１実施形態における動作が説明される。
【００４２】
図７に示されるように、液晶表示パネル１２に、白画像と黒画像とが水平方向の１ラインごとに交互に表示される場合には、ソース駆動部１４からソース信号線Ｓ１には、１ラインごとに変動する電圧が印加される。温度情報取得部２１により取得されるソース駆動部１４の温度情報が、ソース駆動部１４の温度が基準温度Ｔｒ未満であることを示す場合には、ゲイン設定部２４は、ゲインＧａを基準ゲインＧｒに設定する。したがって、加算器２６から出力される出力画像信号は、入力画像信号に等しくなる。このため、図８に示されるように、ソース駆動部１４からソース信号線Ｓ１には、通常の振幅を有する電圧が１ラインごとに印加される。図８では、白画像に対応する電圧ＶとしてＶ＝Ｖ１が印加され、黒画像に対応する電圧ＶとしてＶ＝０が印加されている。
【００４３】
液晶表示パネル１２に白画像と黒画像とが１ラインごとに交互に表示される図７の状態が継続されると、上記図１８を用いて説明されたように、等価容量の充放電が繰り返されるため、ソース駆動部１４の温度が上昇する。そして、温度情報取得部２１により取得されるソース駆動部１４の温度情報が、ソース駆動部１４の温度が基準温度Ｔｒ以上であることを示すと、ゲイン設定部２４は、ゲインＧａを基準ゲインＧｒ未満の値、例えばＧａ＝０．５に設定する。したがって、乗算器２５は、入力画像信号の垂直方向における高周波数成分がゲインＧａの分だけ低下した値を出力する。その結果、ソース駆動部１４からソース信号線に印加される電圧は、図９に示されるように、白画像に対応する電圧Ｖは、Ｖ＝Ｖ１からＶ＝Ｖ１１に低下し、黒画像に対応する電圧Ｖは、Ｖ＝０からＶ＝Ｖ１２に上昇する。このように、白画像に対応する画素への印加電圧は低下し、黒画像に対応する画素への印加電圧は上昇する。これによって、ソース駆動部１４により画素に印加される電圧の振幅が低下されている。なお、図８に示される場合の画素への印加電圧の平均値と、図９に示される場合の画素への印加電圧の平均値とは、殆ど変化していない。
【００４４】
以上説明されたように、この第１実施形態では、垂直ＨＰＦ２３からの入力画像信号の高周波数成分の出力値と、垂直ＬＰＦ２２からの入力画像信号の低周波数成分の出力値とを用いて、出力画像信号が生成されている。したがって、例えば図８に示されるように入力画像信号の高周波数成分が大きいときは、図９に示されるように画素への印加電圧の振幅を好適に低下させることができる。一方、例えば図４に示されるように入力画像信号の高周波数成分がゼロに近いときは、画素への印加電圧の振幅は殆ど低下しない。このように、第１実施形態では、入力画像信号の変化に応じて、ソース駆動部１４により画素に印加される電圧の振幅を好適に制御することができる。その結果、ソース駆動部１４の温度上昇を好適に抑制することができる。
【００４５】
また、この第１実施形態では、垂直ＨＰＦ２３からの入力画像信号の高周波数成分の出力値を、ゲイン設定部２４により設定されたゲインＧａだけ低下させた値と、垂直ＬＰＦ２２からの入力画像信号の低周波数成分の出力値とを加算した値を用いて、出力画像信号が生成されている。したがって、ソース駆動部１４の構成を変更することなく、簡易な構成で、ソース駆動部１４による画素への印加電圧の振幅を低下させることができる。
【００４６】
また、この第１実施形態では、垂直ＨＰＦ２３の出力値にゲインＧａを乗算することにより、画素への印加電圧の振幅を低下させている。したがって、白画像に対応する画素への印加電圧は低下し、黒画像に対応する画素への印加電圧は上昇する。したがって、図８に示される場合の印加電圧の平均値と、図９に示される場合の印加電圧の平均値とは、殆ど変化していない。その結果、輝度レベルの平均値は変化しないため、画像の表示品位の低下を抑制することができる。
【００４７】
（第２実施形態）
図１０は、本発明の第２実施形態の液晶表示装置の構成を示すブロック図である。図１１は、階調ゲイン設定部が保持するゲイン曲線の一例を示す図である。第２実施形態では、第１実施形態と同様の要素に対して、同様の符号が割り当てられている。以下、第１実施形態との相違点を中心に第２実施形態が説明される。
【００４８】
図１０に示される第２実施形態の液晶表示装置１ａは、図１に示される第１実施形態の液晶表示装置１において、表示制御回路１１に代えて、表示制御回路１１ａを備える。表示制御回路１１ａは、図１に示される表示制御回路１１において、ローパスフィルタ（ＬＰＦ）２７をさらに備え、さらにまた、ゲイン設定部２４に代えて、階調ゲイン設定部２８を備える。
【００４９】
ＬＰＦ２７は、入力画像信号の低周波数成分を抽出して、入力画像信号の垂直方向における信号レベルの平均値を出力する。階調ゲイン設定部２８は、図１１に示されるゲイン曲線Ｇｃ１〜Ｇｃ４を保持する。ゲイン曲線Ｇｃ１〜Ｇｃ４は、ソース駆動部１４の温度と、入力画像信号の信号レベルとに対応して予め設定されている。
【００５０】
階調ゲイン設定部２８は、ソース駆動部１４の温度Ｔが、Ｔ＜Ｔｒのときにゲイン曲線Ｇｃ１を選択し、Ｔｒ≦Ｔ＜Ｔ１のときにゲイン曲線Ｇｃ２を選択し、Ｔ１≦Ｔ＜Ｔ２のときにゲイン曲線Ｇｃ３を選択し、Ｔ２≦Ｔ＜Ｔ３のときにゲイン曲線Ｇｃ４を選択する。ここで、Ｔｒ＜Ｔ１＜Ｔ２＜Ｔ３である。
【００５１】
ゲイン曲線Ｇｃ１は、ソース駆動部１４の温度Ｔが基準温度Ｔｒ未満に対応するため、図１１に示されるように、入力画像信号の信号レベルに関係なく、基準ゲインＧｒ（例えばＧｒ＝１）の一定値となっている。ゲイン曲線Ｇｃ２〜Ｇｃ４は、それぞれ、入力画像信号の信号レベルが最小階調Ｌｍｉｎ（例えば８ビットの場合、Ｌｍｉｎ＝０）及び最大階調Ｌｍａｘ（例えば８ビットの場合、Ｌｍａｘ＝２５５）のときに、ゲインＧａが最小値となり、中間階調Ｌｍｉｄ（例えば８ビットの場合、Ｌｍｉｄ＝１２８）のときに、ゲインＧａが最大値となるように、設定されている。ゲイン曲線Ｇｃ２〜Ｇｃ４は、中間階調ＬｍｉｄのときのゲインＧａが基準ゲインＧｒに等しくなるように、設定されている。
【００５２】
階調ゲイン設定部２８は、ゲイン曲線Ｇｃ１〜Ｇｃ４のうちで、温度情報取得部２１から出力されるソース駆動部１４の温度情報に対応するゲイン曲線を選択する。階調ゲイン設定部２８は、選択したゲイン曲線において、ＬＰＦ２７から出力される入力画像信号の信号レベルの平均値に対応するゲインＧａを抽出し、抽出したゲインＧａを乗算器２５に出力する。なお、この第２実施形態では、入力画像信号の「信号レベル」としているが、これに限られず、入力画像信号の「輝度レベル」としてもよい。本実施形態において、液晶表示パネル１２は、液晶表示部の一例に対応し、ソース駆動部１４は、駆動部の一例に対応し、表示制御回路１１は、制御部の一例に対応し、垂直ＬＰＦ２２及び垂直ＨＰＦ２３は、フィルタ部の一例に対応する。また、本実施形態において、階調ゲイン設定部２８は、ゲイン設定部の一例に対応し、乗算器２５は、乗算部の一例に対応し、加算器２６は、加算部の一例に対応し、最小階調Ｌｍｉｎは、信号レベルの最小値の一例に対応し、最大階調Ｌｍａｘは、信号レベルの最大値の一例に対応し、中間階調Ｌｍｉｄは、信号レベルの中間値の一例に対応する。
【００５３】
図１２は、液晶の印加電圧特性を示す図である。図１２を用いて、この第２実施形態の効果が説明される。図１２に示されるように、入力画像信号の信号レベルが低階調（低輝度）及び高階調（高輝度）の領域では、入力画像信号の信号レベルが増大するにつれて、液晶に対する印加電圧は急峻に上昇する一方、入力画像信号の信号レベルが中間階調（中輝度）の領域では、入力画像信号の信号レベルが増大するにつれて、液晶に対する印加電圧は緩やかに上昇する。
【００５４】
したがって、図１２に示されるように、入力画像信号の信号レベルが中間階調の領域では、入力画像信号の信号レベルの変動幅に比べて、液晶に対する印加電圧の変動幅は小さい。逆に言うと、入力画像信号の信号レベルが中間階調の領域において、ソース駆動部１４の温度を低下させるために印加電圧の振幅を低下させると、入力画像信号の信号レベルが大きく変動する領域に対応するため、印加電圧の振幅低下による画像の鮮鋭さの低下が観察者に視認されやすくなる。これに対して、入力画像信号の信号レベルが低階調及び高階調の領域において、ソース駆動部１４の温度を低下させるために印加電圧の振幅を中間階調の領域と同一ゲインで低下させても、入力画像信号の信号レベルの変動幅が小さい領域に対応するため、印加電圧の振幅低下による画像の鮮鋭さの低下が観察者に視認されにくい。
【００５５】
また、入力画像信号の信号レベルが中間階調の領域と、低階調及び高階調の領域とにおいて、それぞれ同一ゲインＧａで垂直ＨＰＦ２３の出力値を低下させることにより印加電圧の振幅を低下させた場合、図１２に示されるように、中間階調の領域では、低階調及び高階調の領域に比べて、印加電圧の変動幅が小さいため、印加電圧の振幅の低下幅も小さくなる。したがって、中間階調の領域では、低階調及び高階調の領域に比べて、印加電圧の振幅の低下による温度低下の効果も、少なくなる。
【００５６】
そこで、この第２実施形態で用いられるゲイン曲線Ｇｃ２〜Ｇｃ４は、図１１に示されるように、それぞれ、入力画像信号の信号レベルが最小階調Ｌｍｉｎ及び最大階調Ｌｍａｘのときに、ゲインＧａが最小値となり、中間階調Ｌｍｉｄのときに、ゲインＧａが最大値となるように、設定されている。すなわち、ゲイン曲線Ｇｃ２〜Ｇｃ４は、最小階調Ｌｍｉｎ及び最大階調Ｌｍａｘの近傍では、中間階調Ｌｍｉｄの近傍に比べて、ゲインＧａが小さい値となるように、設定されている。
【００５７】
以上のように、この第２実施形態によれば、階調ゲイン設定部２８により保持されるゲイン曲線Ｇｃ２〜Ｇｃ４は、最小階調Ｌｍｉｎ及び最大階調Ｌｍａｘの近傍では、中間階調Ｌｍｉｄの近傍に比べて、ゲインＧａが小さい値となるように、設定されている。したがって、画素への印加電圧の振幅の低下が目立たない低階調及び高階調の領域において印加電圧の振幅を大きく低下させることにより、ソース駆動部１４の温度上昇を抑制することができる。また、ゲイン曲線Ｇｃ２〜Ｇｃ４は、中間階調Ｌｍｉｄの近傍では、ゲインＧａが基準ゲインＧｒに近い値となるように、特に中間階調Ｌｍｉｄでは、ゲインＧａが基準ゲインＧｒに等しい値となるように、設定されている。したがって、画素への印加電圧の振幅低下による画像の鮮鋭さの低下が目立つ中間階調Ｌｍｉｄの近傍の領域では、印加電圧の振幅低下幅が小さくなる。その結果、画像の鮮鋭さの低下が目立たないようにすることができる。
【００５８】
（第３実施形態）
図１３は、本発明の第３実施形態の液晶表示装置の構成を示すブロック図である。図１４は、第３実施形態の液晶表示装置のソース駆動部及び液晶表示パネルと、ゲイン設定部及び水平ローパスフィルタの出力信号とを示す図である。第３実施形態では、第１実施形態と同様の要素に対して、同様の符号が割り当てられている。以下、第１実施形態との相違点を中心に第３実施形態が説明される。
【００５９】
図１３に示される第３実施形態の液晶表示装置１ｂは、図１に示される第１実施形態の液晶表示装置１において、表示制御回路１１に代えて、表示制御回路１１ｂを備える。表示制御回路１１ｂは、図１に示される表示制御回路１１において、水平位置検出部２９及び水平ローパスフィルタ（ＬＰＦ）３０をさらに備え、さらにまた、温度情報取得部２１に代えて、温度情報取得部２１ａを備える。
【００６０】
この第３実施形態では、図１４に示されるように、液晶表示パネル１２は、複数のソース信号線をそれぞれ含むように分割された領域１２１〜１２６を備える。また、ソース駆動部１４は、駆動ＩＣ１４１〜１４６を備える。駆動ＩＣ１４１〜１４６は、それぞれ、液晶表示パネル１２の領域１２１〜１２６に対応し、領域１２１〜１２６に含まれるソース信号線に電圧を印加する。
【００６１】
温度情報取得部２１ａは、ソース駆動部１４の駆動ＩＣ１４１〜１４６ごとに、温度情報を取得する。水平位置検出部２９は、入力画像信号及び垂直同期信号に基づき、入力画像信号に対応する画素の水平位置（ソース信号線）を検出する。水平ＬＰＦ３０は、水平位置検出部２９により検出された水平位置に応じて、ゲイン設定部２４から出力されるゲインの変化量の傾斜（変化率）を緩やかにする。なお、表示制御回路１１ｂは、時分割で駆動ＩＣ１４１〜１４６をそれぞれ制御する。代替的に、駆動ＩＣ１４１〜１４６に対して、それぞれ表示制御回路１１ｂを設けるようにしてもよい。本実施形態において、液晶表示パネル１２は、液晶表示部の一例に対応し、ソース駆動部１４は、駆動部の一例に対応し、表示制御回路１１は、制御部の一例に対応し、垂直ＬＰＦ２２及び垂直ＨＰＦ２３は、フィルタ部の一例に対応する。また、本実施形態において、乗算器２５は、乗算部の一例に対応し、加算器２６は、加算部の一例に対応する。また、本実施形態において、駆動ＩＣ１４１〜１４６は、駆動回路の一例に対応し、領域１２３は、第１の領域の一例に対応し、領域１２４は、第２の領域の一例に対応し、駆動ＩＣ１４３は、第１の駆動回路の一例に対応し、駆動ＩＣ１４４は、第２の駆動回路の一例に対応する。
【００６２】
図１５は、この第３実施形態のゲイン設定部２４が保持するゲイン曲線を示す図である。なお、図１５に示されるように、この実施形態のゲイン設定部２４は、図６に示される第１実施形態のゲイン設定部２４が保持するゲイン曲線Ｇｃ０と同じゲイン曲線Ｇｃ０を保持する。図１３〜図１５を用いて、第３実施形態の動作が説明される。
【００６３】
ここでは、駆動ＩＣ１４１，１４２，１４４〜１４６の温度Ｔが基準温度Ｔｒ未満（Ｔ＜Ｔｒ）であり、駆動ＩＣ１４３の温度Ｔは基準温度Ｔｒより高い温度Ｔ１１（Ｔ＝Ｔ１１＞Ｔｒ）であるとする。この場合には、ゲイン設定部２４は、図１５に示されるように、駆動ＩＣ１４１，１４２，１４４〜１４６に対応するゲインＧａとして、基準ゲインＧｒを出力し、駆動ＩＣ１４３に対応するゲインＧａとして、ゲインＧａ１（＜Ｇｒ）を出力する。
【００６４】
したがって、ゲイン設定部２４の出力信号は、図１４に示されるように、駆動ＩＣ１４１，１４２，１４４〜１４６に対応する信号レベルは基準ゲインＧｒとなり、駆動ＩＣ１４３に対応する信号レベルはゲインＧａ１となる。このため、ゲイン設定部２４の出力信号は、図１４に示されるように、駆動ＩＣ１４２と駆動ＩＣ１４３との境界及び駆動ＩＣ１４３と駆動ＩＣ１４４との境界において、ゲインの変化量の傾斜（変化率）が大きい波形を有する信号となる。
【００６５】
これに対して、水平ＬＰＦ３０は、水平位置検出部２９により検出された水平位置に応じて、ゲイン設定部２４から出力されるゲインの変化量の傾斜（変化率）を緩やかにする。したがって、水平ＬＰＦ３０の出力信号は、図１４に示されるように、ゲインの変化量の傾斜（変化率）が緩やかにされた波形を有する信号となる。
【００６６】
以上のように、この第３実施形態では、ゲイン設定部２４から出力されるゲインが変化する駆動ＩＣ１４２，１４３の境界部分及び駆動ＩＣ１４３，１４４の境界部分において、水平ＬＰＦ３０によりゲインの変化量の傾斜（変化率）を緩やかにしている。駆動ＩＣの境界部分において、ゲインが急激に変化すると、その境界部分における画像の鮮鋭さの変化が観察者に視認される可能性がある。これに対して、この第３実施形態によれば、駆動ＩＣの境界部分において、ゲインの変化量の傾斜（変化率）を緩やかにしているため、その境界部分における画像の鮮鋭さの変化が観察者に視認されるのを防止することができる。
【００６７】
（その他）
図１６は、第３実施形態の液晶表示装置において、液晶表示パネルの左右にバックライトを備えたエッジライト方式の液晶表示装置を示す図である。図１６に示される液晶表示装置１ｃは、液晶表示パネル１２の左右に、それぞれバックライト１５ａ、１５ｂを備える。バックライト１５ａ、１５ｂは、例えばＬＥＤを含む。なお、図１６に示される液晶表示装置１ｃは、バックライト１５ａ、１５ｂを備える以外は、図３に示される第３実施形態の液晶表示装置１ｂと同じ構成になっている。
【００６８】
図１６に示される形態では、バックライト１５ａ、１５ｂにそれぞれ近接する駆動ＩＣ１４１，１４６の温度は、バックライト１５ａ、１５ｂの発熱により、他の駆動ＩＣ１４２〜１４５に比べて温度が上昇する場合が多い。そこで、ゲイン設定部２４は、駆動ＩＣ１４１，１４６の温度が上昇することを予め想定して、駆動ＩＣ１４１，１４６のゲイン曲線として、他の駆動ＩＣ１４２〜１４５のゲイン曲線より低くなるように設定されたゲイン曲線を保持している。液晶表示パネル１２の画面の左右端部における電圧振幅の低下による画像の鮮鋭さの低下は、画面の中心における場合に比べて目立ちにくい。したがって、この形態によれば、画像の鮮鋭さの低下が目立つことなく、駆動ＩＣ１４１，１４６の温度上昇を抑制することができる。
【００６９】
上記各実施形態では、図２に示されるように、各ソース信号線に対して、同一色の画素が接続されている。例えば図２において、ソース信号線Ｓ１には赤色画素Ｒが接続され、ソース信号線Ｓ２には緑色画素Ｇが接続され、ソース信号線Ｓ３には青色画素Ｂが接続されている。しかし、ソース信号線に対する画素の接続形態は、これに限られない。
【００７０】
図１７は、ソース信号線に対する薄膜トランジスタＱ及び画素Ｒ，Ｇ，Ｂの異なる接続形態を示す図である。この形態では、各ソース信号線に対して、異なる色の画素が交互に接続されている。例えば図１７において、ソース信号線Ｓ２には上から順に、緑色画素Ｇ、赤色画素Ｒ、緑色画素Ｇ、・・・が接続され、ソース信号線Ｓ３には上から順に、青色画素Ｂ、緑色画素Ｇ、青色画素Ｂ、・・・が接続され、ソース信号線Ｓ４には上から順に、赤色画素Ｒ、青色画素Ｂ、赤色画素Ｒ、・・・が接続されている。図１７に示される接続形態でも、液晶表示パネル１２の全面に白画像を表示する場合には、ソース信号線に印加される電圧は、上記図４に示される電圧信号となる。したがって、図１７に示される接続形態の液晶表示パネルでも、上記各実施形態を同様に適用することができる。
【産業上の利用可能性】
【００７１】
入力画像信号に基づく画像をフレームごとに液晶表示部に表示する液晶表示装置において、簡易な構成で、駆動部から画素への印加電圧を制御することができる液晶表示装置として有用である。
【符号の説明】
【００７２】
１１  表示制御回路
１２  液晶表示パネル
１４  ソース駆動部
２２  垂直ＬＰＦ
２３  垂直ＨＰＦ
２４  ゲイン設定部
２５  乗算器
２６  加算器
２７  ＬＰＦ
２８  階調ゲイン設定部
１２１〜１２６  領域
１４１〜１４６  駆動ＩＣ
Ｇ１，Ｇ２，・・・，Ｇｎ  ゲート信号線
Ｒ  赤色画素
Ｇ  緑色画素
Ｂ  青色画素
Ｓ１，Ｓ２，・・・，Ｓｍ  ソース信号線
【図１】
2013137418.tif 000003
【図２】
2013137418.tif 000004
【図３】
2013137418.tif 000005
【図４】
2013137418.tif 000006
【図５】
2013137418.tif 000007
【図６】
2013137418.tif 000008
【図７】
2013137418.tif 000009
【図８】
2013137418.tif 000010
【図９】
2013137418.tif 000011
【図１０】
2013137418.tif 000012
【図１１】
2013137418.tif 000013
【図１２】
2013137418.tif 000014
【図１３】
2013137418.tif 000015
【図１４】
2013137418.tif 000016
【図１５】
2013137418.tif 000017
【図１６】
2013137418.tif 000018
【図１７】
2013137418.tif 000019
【図１８】
2013137418.tif 000020